(57)【要約】【課題】立ち上がり部と外装材との間の防水性を確保できるとともに防水処理に係る施工性を向上させることが可能な外壁の防水構造を提供することを目的とする。【解決手段】屋外床のある場所に面して設けられた外壁１の防水構造であって、外壁１は、屋外床から立ち上がる立ち上がり部２と、立ち上がり部２の上方に配置された外装材３と、建物躯体によって支持されているとともに外装材３を支持する支持材４を備えており、立ち上がり部２の上端部と支持材４との間には隙間５が形成されている。そして、立ち上がり部２の上端部における屋外側面から、隙間５を介して、支持材４の屋内側面にかけて防水シート７が貼り付けられて設けられている。【選択図】図１
2018090995.tif 000002
【特許請求の範囲】
【請求項１】
屋外床のある場所に面して設けられた外壁の防水構造であって、
前記外壁は、前記屋外床から立ち上がる立ち上がり部と、前記立ち上がり部の上方に配置された外装材と、建物躯体によって支持されているとともに前記外装材を支持する支持材を備えており、
前記立ち上がり部の上端部と前記支持材との間には隙間が形成されており、
前記立ち上がり部の上端部における屋外側面から、前記隙間を介して、前記支持材の屋内側面にかけて防水シートが貼り付けられて設けられていることを特徴とする外壁の防水構造。
【請求項２】
請求項１に記載の外壁の防水構造において、
前記支持材は、
前記建物躯体側に位置するとともに鉛直に設けられた鉛直板部と、
前記鉛直板部の下端部から屋外側に突出するとともに上面に前記外装材の下端部が載せられた支持板部と、を有しており、
前記防水シートの上端部が、前記鉛直板部の屋内側面に貼り付けられていることを特徴とする外壁の防水構造。
【請求項３】
請求項２に記載の外壁の防水構造において、
前記外装材は、前記支持材における前記鉛直板部に係合する係合部を有することを特徴とする外壁の防水構造。
【請求項４】
請求項１〜３のいずれか一項に記載の外壁の防水構造において、
前記隙間には、当該隙間を埋めるようにして、かつ前記防水シートを遮蔽するようにして防水カバー材が設けられていることを特徴とする外壁の防水構造。
【請求項５】
請求項４に記載の外壁の防水構造において、
前記防水カバー材は、
前記隙間のうち前記外装材の屋外側面よりも奥まった位置から前記立ち上がり部の上端部における屋外側面にかけて設けられた水切部と、
前記立ち上がり部の上端面に設けられているとともに前記水切部が取り付けられた取付下地部と、を有しており、
前記防水シートは、前記防水カバー材における前記取付下地部によって前記立ち上がり部の上端面に押さえ付けられていることを特徴とする外壁の防水構造。
【請求項６】
請求項１〜５のいずれか一項に記載の外壁の防水構造において、
前記立ち上がり部には、前記屋外床から前記立ち上がり部の上端部にかけて連続する床側防水シートが貼り付けられており、
前記防水シートは、前記床側防水シートの上端部に上から重ね合わせられるようにして貼り付けられていることを特徴とする外壁の防水構造。
【発明の詳細な説明】
【技術分野】
【０００１】
本発明は、屋外床のある場所に面して設けられた外壁の防水構造に関する。
【背景技術】
【０００２】
従来、例えばバルコニーや陸屋根の屋上等のような屋外床のある場所に面して設けられる外壁は、屋外床よりも上方に立ち上がる立ち上がり部と、この立ち上がり部の直上に位置する外装材（またはサッシ）と、を備えた構成となっている（例えば特許文献１参照）。
特許文献１においては、チャネル材および合板からなる立ち上がり部の直上に外装材が目地部を介して設けられており、当該立ち上がり部が金属製の被覆部材によって被覆されている。そして、床材を被覆する防水シートを、金属製の被覆部材をさらに被覆しながら目地部の奥まで貼り付けることによって防水処理を行っている。
【先行技術文献】
【特許文献】
【０００３】
【特許文献１】特開２００９−０７９４５２号公報
【発明の概要】
【発明が解決しようとする課題】
【０００４】
ところで、屋外に面する外壁の施工手順は例えば建物構造や輸送の都合等に応じて異なり、立ち上がり部から施工し、その後に外装材を施工するパターンと、外装材を施工し、その後に立ち上がり部を施工するパターンとがあり、施工現場で選択される場合がある。
ところが、このように立ち上がり部と外装材の施工手順が前後してしまうと、立ち上がり部と外装材との間の防水処理を行う際の手順を、施工現場で選択されたパターンに応じて変更しなければならず、統一性に欠けるため、施工に手間がかかる場合があった。
【０００５】
本発明は上記事情に鑑みてなされたものであり、立ち上がり部と外装材との間の防水性を確保できるとともに防水処理に係る施工性を向上させることが可能な外壁の防水構造を提供することを目的とする。
【課題を解決するための手段】
【０００６】
請求項１に記載の発明は、例えば図１，図３〜図５に示すように、屋外床のある場所に面して設けられた外壁１の防水構造であって、
前記外壁１は、前記屋外床から立ち上がる立ち上がり部２と、前記立ち上がり部２の上方に配置された外装材３と、建物躯体によって支持されているとともに前記外装材３を支持する支持材４を備えており、
前記立ち上がり部２の上端部と前記支持材４との間には隙間５が形成されており、
前記立ち上がり部２の上端部における屋外側面から、前記隙間５を介して、前記支持材４の屋内側面にかけて防水シート７が貼り付けられて設けられていることを特徴とする。
【０００７】
請求項１に記載の発明によれば、外装材３を支持する支持材４は、立ち上がり部２の上方に配置されているものの、立ち上がり部２によって支持されてはおらず、建物躯体によって支持されているので、これら立ち上がり部２と支持材４は構造的に離隔した状態となっている。そのため、外壁１の施工手順が、例えば建物構造や輸送の都合等に応じて前後しても滞りなく施工できることになる。換言すれば、立ち上がり部２と外装材３とを先後関係なく施工することができる。
そして、立ち上がり部２の上端部における屋外側面から、隙間５を介して、支持材４の屋内側面にかけて防水シート７が貼り付けられて設けられているので、立ち上がり部２と支持材４とが離隔した状態であっても、屋外側から隙間５に向かって浸入しようとする水を防水シート７によって確実に遮ることができ、外壁１における立ち上がり部２と外装材３との間の防水性を確保することができる。しかも、隙間５が形成された後であれば、防水シート７による立ち上がり部２と外装材３との間の防水処理をいつでも行うことができるので、外壁１の防水処理に係る施工性を向上させることも可能となる。
【０００８】
請求項２に記載の発明は、例えば図１，図３〜図５に示すように、請求項１に記載の外壁１の防水構造において、
前記支持材４は、
前記建物躯体側に位置するとともに鉛直に設けられた鉛直板部４ａと、
前記鉛直板部４ａの下端部から屋外側に突出するとともに上面に前記外装材３の下端部が載せられた支持板部４ｂと、を有しており、
前記防水シート７の上端部が、前記鉛直板部４ａの屋内側面に貼り付けられていることを特徴とする。
【０００９】
請求項２に記載の発明によれば、防水シート７の上端部が、建物躯体側に位置するとともに鉛直に設けられた鉛直板部４ａの屋内側面に貼り付けられているので、防水シート７の上端部は屋内側に回り込んだ状態となっている。そのため、例えば防水シート７の上端部が支持板部４ｂの下面に貼り付けられる場合よりも、屋外側から隙間５に向かって水が浸入しにくくなる。
また、支持材４は、鉛直板部４ａの下端部から屋外側に突出するとともに上面に外装材３の下端部が載せられた支持板部４ｂを有するので、外装材３を安定的に支持することができる。
【００１０】
請求項３に記載の発明は、例えば図１，図３〜図５に示すように、請求項２に記載の外壁１の防水構造において、
前記外装材３は、前記支持材４における前記鉛直板部４ａに係合する係合部３ｃを有することを特徴とする。
【００１１】
請求項３に記載の発明によれば、外装材３は、支持材４における鉛直板部４ａに係合する係合部３ｃを有するので、この係合部３ｃを支持材４における鉛直板部４ａに係合させれば、外装材３の支持状態を一層安定的なものとすることができる。
【００１２】
請求項４に記載の発明は、例えば図１，図３〜図５に示すように、請求項１〜３のいずれか一項に記載の外壁１の防水構造において、
前記隙間５には、当該隙間５を埋めるようにして、かつ前記防水シート７を遮蔽するようにして防水カバー材８が設けられていることを特徴とする。
【００１３】
請求項４に記載の発明によれば、隙間５には、当該隙間５を埋めるようにして、かつ防水シート７を遮蔽するようにして防水カバー材８が設けられているので、この防水カバー材８によって立ち上がり部２と外装材３との間の防水性を向上させることができるとともに、立ち上がり部２と外装材３との間の外観意匠性を向上させることができる。
【００１４】
請求項５に記載の発明は、例えば図１，図３に示すように、請求項４に記載の外壁１の防水構造において、
前記防水カバー材８は、
前記隙間５のうち前記外装材３の屋外側面よりも奥まった位置から前記立ち上がり部２の上端部における屋外側面にかけて設けられた水切部９と、
前記立ち上がり部２の上端面に設けられているとともに前記水切部９が取り付けられた取付下地部１０と、を有しており、
前記防水シート７は、前記防水カバー材８における前記取付下地部１０によって前記立ち上がり部２の上端面に押さえ付けられていることを特徴とする。
【００１５】
請求項５に記載の発明によれば、防水カバー材８は、隙間５のうち外装材３の屋外側面よりも奥まった位置から立ち上がり部２の上端部における屋外側面にかけて設けられた水切部９を有するので、この水切部９によって、外装材３の屋外側面を伝って下方に落ちる水を屋外床に向かって落とすことができる。
そして、防水カバー材８は、立ち上がり部２の上端面に設けられているとともに水切部９が取り付けられた取付下地部１０を有しており、防水シート７は、防水カバー材８における取付下地部１０によって立ち上がり部２の上端面に押さえ付けられているので、この取付下地部１０によって、防水シート７が剥がれやすくなることを防ぎつつ、水切部９の取付状態を安定的なものにすることができる。
【００１６】
請求項６に記載の発明は、例えば図１，図３〜図５に示すように、請求項１〜５のいずれか一項に記載の外壁１の防水構造において、
前記立ち上がり部２には、前記屋外床から前記立ち上がり部２の上端部にかけて連続する床側防水シート６が貼り付けられており、
前記防水シート７は、前記床側防水シート６の上端部に上から重ね合わせられるようにして貼り付けられていることを特徴とする。
【００１７】
請求項６に記載の発明によれば、防水シート７が、屋外床から連続する床側防水シート６の上端部に上から重ね合わせられるようにして貼り付けられているので、防水シート７の下縁部からの水の浸入と、床側防水シート６の上縁部からの水の浸入を防ぐことができ、結果的に、立ち上がり部２と外装材３との間の防水性を確保することができる。
【発明の効果】
【００１８】
本発明によれば、立ち上がり部と外装材との間の防水性を確保できるとともに防水処理に係る施工性を向上させることができる。
【図面の簡単な説明】
【００１９】
【図１】外壁の防水構造を示す側断面図である。
【図２】サッシが設けられた場合の外壁の防水構造を示す側断面図である。
【図３】外壁の防水構造の変形例を示す側断面図である。
【図４】外壁の防水構造の変形例を示す正面側概略図である。
【図５】図４に示す変形例の側断面図である。
【発明を実施するための形態】
【００２０】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２１】
図１において符号１は外壁を示す。この外壁１は、屋外床（図示せず）のある場所に面して設けられたものであり、建物躯体（図示せず）の周囲に設置された状態となっている。なお、屋外床のある場所とは、屋外床が設けられた場所を指す。
【００２２】
建物躯体は、柱や梁等によってフレーム状に形成されたものであり、使用される構造材（建築材料）は木製でもよいし、金属製でもよい。さらには、その他の材質のものでもよい。
屋外床は、建物躯体に対して設けられている。この屋外床は、屋外空間に面した状態となるため、防水シート等の防水加工が施されたり、排水のための設備と共に建物躯体に組み込まれたりしている。
【００２３】
本実施形態における外壁１は、住宅やオフィスビル等の建物における屋上に設けられたペントハウスの外壁である。ただし、これに限られるものではなく、例えば、バルコニーに面する外壁や、屋外廊下に面する外壁、屋外床のある場所に面して設けられた外壁であれば採用できる。
【００２４】
このような外壁１は、屋外床から立ち上がる立ち上がり部２と、立ち上がり部２の上方に配置された外装材３と、建物躯体によって支持されているとともに外装材３を支持する支持材４を備える。
そして、立ち上がり部２の上端部と、支持材４との間には隙間５が形成されており、隙間５には、屋外側から屋内側への水の浸入を防ぐための防水処理（床側防水シート６、防水シート７、防水カバー材８）が施されている。
【００２５】
立ち上がり部２は、立ち上がり本体２ａと、耐火面材２ｂと、上面板材２ｃと、つなぎ材２ｄと、を有する。
立ち上がり本体２ａは、角筒状に形成された複数本の柱状体が互いに間隔を空けて並べられることで形成されている。複数本の柱状体は、建物躯体における例えば梁のような横材に対して設けられているものとする（図示せず）。
耐火面材２ｂは、複数本の柱状体からなる立ち上がり本体２ａの屋外側面に取り付けられており、立ち上がり本体２ａにおける外側面を構成している。
上面板材２ｃは、複数本の柱状体の上端部間に架け渡されて設けられており、立ち上がり本体２ａにおける上端面を構成している。
つなぎ材２ｄは、断面Ｌ型のスチール材であり、上面板材２ｃと共に立ち上がり部２を構成する複数本の柱状体の上端部間に架け渡されて設けられている。換言すれば、つなぎ材２ｄは、上面板材２ｃと共に複数本の柱状体同士を繋いだ状態となっている。そして、このようなつなぎ材２ｄを介して耐火面材２ｂが立ち上がり本体２ａの屋外側面に取り付けられている。
【００２６】
このような立ち上がり部２には、屋外床から立ち上がり部２の上端部にかけて連続する床側防水シート６が貼り付けられている。
より詳細に説明すると、床側防水シート６は、屋外床の表層である防水面を構成するシートであって、屋外床と立ち上がり部２との取り合い部分（接し合う部分、または境界部分とも言う）を跨いで、立ち上がり部２側にも貼り付けられている。このような床側防水シート６は、屋外床から立ち上がり部２における耐火面材２ｂの上端面にかけて連続して貼り付けられている。
なお、本実施形態における耐火面材２ｂとしては例えばセメント板が採用されている。このようなセメント板である耐火面材２ｂに対して床側防水シート６を貼り付ける場合は、耐火面材２ｂの上端部に設けられた断面Ｌ型の塩ビ鋼板２ｅに対して床側防水シート６の上縁部を溶着させている。そして、このように床側防水シート６が塩ビ鋼板２ｅを介して耐火面材２ｂに貼り付けられていることにより、床側防水シート６が剥がれにくくなっている。
【００２７】
外装材３は、本体パネル３ａと、表面仕上げ材３ｂと、係合部３ｃと、を有する。
本体パネル３ａは、ある程度の厚みがあり、当該本体パネル３ａを上下方向に貫通する空洞部が複数形成されている。これら複数の空洞部同士は、本体パネル３ａの幅方向に並んで配置されている。このような本体パネル３ａとしては、例えば押出成形セメント板が採用されている。
表面仕上げ材３ｂは、本体パネル３ａの屋外側面に取り付けられており、外装材３自体の仕上げ面を構成している。なお、本実施形態における表面仕上げ材３ｂは、タイル調の仕上げ材が採用されているが、これに限られるものではない。また、この表面仕上げ材３ｂは、本体パネル３ａに対して一体化されていてもよい。
係合部３ｃは、詳細については後述するが、本体パネル３ａの屋内側面に設けられており、支持材４に係合することによって外装材３の取付状態の安定化に貢献するものである。
【００２８】
支持材４は、鉛直板部４ａと、支持板部４ｂと、を有するアングル材である。
鉛直板部４ａは、建物躯体側に位置するとともに鉛直に設けられる部位である。
支持板部４ｂは、鉛直板部４ａの下端部から屋外側に突出するとともに上面に外装材３の下端部が載せられる部位である。
【００２９】
なお、支持材４は、上述のように建物躯体によって支持されているが、その形態は特に限定されるものではない。
本実施形態においては、鉛直板部４ａが、間隔を空けて配置された建物躯体の柱間に架け渡されるようにして支持材４が建物躯体によって支持されている。つまり、鉛直板部４ａの屋内側面が、建物躯体における複数本の柱の側面に固定された状態となっている。
このような支持の形態に限られるものではなく、例えば、鉛直板部４ａおよび支持板部４ｂの長さ方向両端面が、建物躯体における複数本の柱の側面間に架け渡されて固定される形態を採用してもよい。ただし、このような形態採用して支持材４を建物躯体で支持する場合は、建物躯体における複数本の柱間に外装材３が配置された状態となるため、建物躯体における柱と外装材３との間の仕上げ処理が別途必要となる。
その他にも、支持板部４ｂの下面が、建物躯体における複数本の柱の側面から突出するブラケット材の上面に固定される形態を採用してもよい。
【００３０】
そして、以上のような支持材４における鉛直板部４ａに対して、外装材３における係合部３ｃが係合する。
より詳細に説明すると、係合部３ｃは、角度の緩い略Ｓ型に形成されている。そして、この係合部３ｃは、外装材３における本体パネル３ａの屋内側面に接する板状の第一部位３ｄと、鉛直板部４ａの屋内側面に接する板状の第二部位３ｅと、これら第一部位３ｄと第二部位３ｅとを繋ぐ板状の第三部位３ｆと、を有する。
この係合部３ｃは、ボルト３ｇによって本体パネル３ａの屋内側面に固定されている。ボルト３ｇは、本体パネル３ａに形成された空洞部を利用することで、本体パネル３ａに対して留め付けが可能となっており、ボルト３ｇの先端が空洞部内に納まるようになっている。そして、第二部位３ｅと鉛直板部４ａとの間には滑り止め３ｈが介在しており、ボルト３ｇの締め付け強度を高めれば、第二部位３ｅが、滑り止め３ｈを介在させた状態で鉛直板部４ａに密着することになる。
以上のような係合部３ｃが、外装材３の屋内側面の複数箇所に適用されている。なお、支持材４は水平に設けられるため、複数の係合部３ｃも互いに略等しい高さとなるように外装材３の屋内側面に設けられることになる。
【００３１】
以上のような構成においては、外装材３と、これを支持する支持材４は、立ち上がり部２の上方に配置されているものの、立ち上がり部２によって支持されてはおらず、建物躯体によって支持されている。したがって、これら立ち上がり部２と、外装材３および支持材４は構造的に離隔した状態となっている。そして、構造的に離隔した立ち上がり部２と、外装材３および支持材４との間に、隙間５がある状態となっている。
【００３２】
隙間５には、床側防水シート６と、防水シート７と、防水カバー材８と、を利用して防水処理が施されている。
【００３３】
床側防水シート６は、上述のように、屋外床から立ち上がり部２における耐火面材２ｂの上端面にかけて連続して貼り付けられている。
なお、上述した床側防水シート６として、本実施形態では塩ビシートが採用されているが、防水性を確保できれば他の材質を採用してもよく、特に限定されるものではない。
【００３４】
防水シート７は、立ち上がり部２の上端部における屋外側面から、隙間５を介して、支持材４の屋内側面にかけて貼り付けられて設けられている。
より詳細に説明すると、防水シート７は、その下端部が床側防水シート６の上端部に上から重ね合わせられるようにして貼り付けられている。そして、防水シート７の下端部における縁部は、床側防水シート６の上端部における屋外側面に重ね合わせられている。
また、防水シート７の上端部は、鉛直板部４ａの屋内側面に貼り付けられている。
なお、本実施形態における防水シート７としては粘着力のあるブチル耐水シートが採用されている。
【００３５】
防水カバー材８は、隙間５に対して、当該隙間５を屋外側から埋めるようにして、かつ防水シート７を遮蔽するようにして設けられている。
この防水カバー材８は、水切部９と、取付下地部１０と、を有する。
水切部９は、隙間５から水の浸入を防ぐとともに外装材３側からの水を下方に落とすために設けられるものであり、隙間５のうち外装材３の屋外側面よりも奥まった位置から立ち上がり部２の上端部における屋外側面にかけて設けられている。
取付下地部１０は、立ち上がり部２の上端面に設けられているとともに水切部９が取り付けられている。そして、この取付下地部１０は、防水シート７を立ち上がり部２の上端面に押さえ付けるようにして設けられている。
水切部９は、隙間５（立ち上がり部２の上端部及び外装材３の下端部の幅方向）に沿って長尺に形成されている。水切部９よりも隙間５の方が長い場合は、複数の水切部９を、図示しないジョイナーで繋いで用いるようにする。
また、取付下地部１０は、水切部９と同様に隙間５に沿って長尺に形成されていてもよいし、当該取付下地部１０を幅寸法の短いピース材として複数用い、互いに間隔を空けて設けるようにしてもよい。
【００３６】
防水カバー材８について、より詳細に説明すると、まず、取付下地部１０は押さえ部１０ａと下地本体１０ｂとを有するアングル材であり、押さえ部１０ａが水平に設けられ、下地本体１０ｂは鉛直に設けられている。
押さえ部１０ａは、防水シート７の上面に直接接する部位である。そして、立ち上がり部２における上面板材２ｃに対して、防水シート７を介在させた状態で、ビス等の固定材によって固定されている。
下地本体１０ｂは、押さえ部１０ａの屋内側端部から上方に立ち上がった状態となっており、上端部に、水切部９が固定される。
【００３７】
水切部９は、固定部９ａと、傾斜部９ｂと、下垂部９ｃと、上端部９ｄと、シーリング材９ｅと、を備えており、この水切部９によって、防水シート７と、床側防水シート６が重なり合った箇所を覆い隠すことができる。
固定部９ａは、取付下地部１０における下地本体１０ｂに固定される部位であり、下地本体１０ｂに対してビス等の固定材によって固定されている。
傾斜部９ｂは、固定部９ａの下端部から屋外側に向かって突出し、かつ屋外側に向かうにつれて下向き傾斜する部位である。突出方向先端部は、立ち上がり部２の屋外側面よりも、さらに屋外側に位置している。
下垂部９ｃは、傾斜部９ｂの突出方向先端部から下方に向かって垂設された部位であり、水を下方に落とすことができる。
上端部９ｄは、固定部９ａの上端部から屋外側に水平に突出した部位であり、外装材３の下端面および支持材４の下面と対向する部位である。そして、この上端部９ｄと外装材３の下端面との間には、シーリング材９ｅが充填されており、水切部９と外装材３との間の水密性を確保している。
【００３８】
外壁１には、開口部が形成される場合があり、図２に示すように、開口部には窓用のサッシ１１が嵌め込まれる。
サッシ１１は外装材３と、外壁１の幅方向に連続して配置されるため、立ち上がり部２との位置関係は、外装材３と立ち上がり部２との位置関係と同様の状態となっている。すなわち、本実施形態においては、外装材３及びサッシ１１が、立ち上がり部２に対して建物内部側にセットバックした状態となっている。
なお、ビス等の固定材によって押さえ部１０ａを上面板材２ｃに固定する作業は、外装材３の施工前に行われることが好ましい。換言すれば、隙間５が形成される前に行われることが好ましい。しかし、このように外装材３及びサッシ１１が立ち上がり部２に対してセットバックした状態であれば、ビス等の固定材を設けるためのスペースを確保でき、施工手順に左右されずに押さえ部１０ａを上面板材２ｃに固定することができる。
【００３９】
サッシ１１は、外装材３と連続して配置されて窓障子等の建具を有するサッシ本体１２と、サッシ本体１２の下端部に設けられたサッシ水切１３と、を備える。
サッシ水切１３は、図示しない位置でサッシ本体１２に固定される固定部１３ａと、固定部１３ａの下端部から屋外側に向かって突出し、かつ屋外側に向かうにつれて下向き傾斜する傾斜部１３ｂと、傾斜部９ｂの突出方向先端部から下方に向かって垂設された下垂部１３ｃと、を有する。
【００４０】
サッシ１１の下方に位置する立ち上がり部２には、上述の上面板材２ｃと略等しい厚さ寸法の底板部１４ａと、底板部１４ａの屋内側端部から上方に立ち上がる壁部１４ｂと、を有するアングル材１４が設けられている。すなわち、このアングル材１４は、立ち上がり本体２ａを構成する複数本の柱状体の上端部間に架け渡されて設けられており、立ち上がり本体２ａにおける上端面を構成している。
アングル材１４は、壁部１４ｂによって屋内側への水の浸入を防ぐために設けられており、側面視における壁部１４ｂの位置は、サッシ本体１１よりも屋内側に位置している。
【００４１】
サッシ１１の下方における防水シート７は、立ち上がり部２の上端部における屋外側面から、サッシ本体１１と立ち上がり部２との間の隙間５を介して、アングル材１４の壁部１４ｂにかけて貼り付けられて設けられている。
【００４２】
サッシ本体１１と立ち上がり部２との間の隙間５にも、水切部９と取付下地部１０とを有する防水カバー材８が設けられている。
取付下地部１０は、アングル材１４の底板部１４ａに対して確実に設置できるように、押さえ部１０ａが、屋内側を向くように配置されて底板部１４ａの上に取り付けられている。このとき、押さえ部１０ａは、底板部１４ａに対して、防水シート７を介在させた状態で、ビス等の固定材によって固定されている。
取付下地部１０の下地本体１０ｂは、外装材３と立ち上がり部２との間に設けられた取付下地部１０の下地本体１０ｂと長さ方向に連続して設けられている。
【００４３】
サッシ１１下方の水切部９は、外装材３と立ち上がり部２と間の隙間５に設けられた防水カバー材８における水切部９と長さ方向に連続して設けられている。これら水切部９，９同士は、図示しない位置でジョイナーによって接続されているものとする。
水切部９の固定部９ａは、取付下地部１０の下地本体１０ｂに対してビス等の固定材によって固定されている。
水切部９は、サッシ水切１３の下方に位置するようにして配置されており、互いの傾斜部９ｂ，１３ｂ同士が平行した状態となっている。また、水切部９の傾斜部９ｂの上方に下垂部１３ｃが位置した状態となっている。
なお、水切部９の上端部９ｄと、サッシ水切１３における傾斜部１３ｂの下面との間には、シーリング材９ｅが充填されており、水切部９とサッシ水切１３との間の水密性を確保している。
【００４４】
以上のように構成された外壁１を施工する方法は、屋外床の上に立ち上がり部２を設ける立ち上がり部２の施工工程と、建物躯体に支持材４を固定し、当該支持材４に対して外装材３を設ける外装材３の施工工程と、を含む。
ただし、これらの施工工程は、どちらが先に行われてもよいものとする。そして、まずは、立ち上がり部２の施工と、外装材３の施工が行われる。
【００４５】
続いて、立ち上がり部２の上端部と支持材４との間に形成された隙間５を利用して、防水シート７の貼付作業を行う。より具体的には、防水シート７を、立ち上がり部２の上端部における屋外側面から、隙間５を介して、支持材４の屋内側面にかけて貼り付ける。
なお、隙間５の上下方向の間隔は、防水シート７の貼付作業を行う作業者の手指が入る程度の寸法に設定されている。
【００４６】
続いて、防水カバー材８を、隙間５に対して、当該隙間５を埋めるようにして、かつ防水シート７を遮蔽するようにして設ける。
より詳細には、取付下地部１０を、立ち上がり部２の上端面に対して、防水シート７を介在させた状態で取り付けて固定する。
そして、このような取付下地部１０に対して水切部９を固定して、水切部９の上端部９ｄと外装材３の下端面との間にシーリング材９ｅを充填する。
【００４７】
以上のような施工方法で外壁１を構築することができる。
すなわち、隙間５の防水処理を、立ち上がり部２の施工と、外装材３の施工が終わった後に行うようにすれば、防水処理に係る施工性を向上させることができる。
また、外壁１にサッシ１１が設けられる場合には、立ち上がり部２とサッシ１１との間の隙間５における防水処理も同時進行的に行われており、外壁１全体の防水処理が行われる。
【００４８】
なお、以上のような本実施形態において、図示はしないが、立ち上がり部２や外装材３は、外壁１を形成する上で必要な分の幅寸法に適宜設定されており、このような立ち上がり部２や外装材３の幅方向に沿って設けられる上述の各部材や各部位は、これに対応した寸法に適宜設定されているものとする。
【００４９】
本実施の形態によれば、外装材３を支持する支持材４は、立ち上がり部２の上方に配置されているものの、立ち上がり部２によって支持されてはおらず、建物躯体によって支持されているので、これら立ち上がり部２と支持材４は構造的に離隔した状態となっている。そのため、外壁１の施工手順が、例えば建物構造や輸送の都合等に応じて前後しても滞りなく施工できることになる。換言すれば、立ち上がり部２と外装材３とを先後関係なく施工することができる。
そして、立ち上がり部２の上端部における屋外側面から、隙間５を介して、支持材４の屋内側面にかけて防水シート７が貼り付けられて設けられているので、立ち上がり部２と支持材４とが離隔した状態であっても、屋外側から隙間５に向かって浸入しようとする水を防水シート７によって確実に遮ることができ、外壁１における立ち上がり部２と外装材３との間の防水性を確保することができる。しかも、隙間５が形成された後であれば、防水シート７による立ち上がり部２と外装材３との間の防水処理をいつでも行うことができるので、外壁１の防水処理に係る施工性を向上させることも可能となる。
【００５０】
また、防水シート７の上端部が、建物躯体側に位置するとともに鉛直に設けられた鉛直板部４ａの屋内側面に貼り付けられているので、防水シート７の上端部は屋内側に回り込んだ状態となっている。そのため、例えば防水シート７の上端部が支持板部４ｂの下面に貼り付けられる場合よりも、屋外側から隙間５に向かって水が浸入しにくくなる。
また、支持材４は、鉛直板部４ａの下端部から屋外側に突出するとともに上面に外装材３の下端部が載せられた支持板部４ｂを有するので、外装材３を安定的に支持することができる。
【００５１】
また、外装材３は、支持材４における鉛直板部４ａに係合する係合部３ｃを有するので、この係合部３ｃを支持材４における鉛直板部４ａに係合させれば、外装材３の支持状態を一層安定的なものとすることができる。
【００５２】
また、隙間５には、当該隙間５を埋めるようにして、かつ防水シート７を遮蔽するようにして防水カバー材８が設けられているので、この防水カバー材８によって立ち上がり部２と外装材３との間の防水性を向上させることができるとともに、立ち上がり部２と外装材３との間の外観意匠性を向上させることができる。
【００５３】
また、防水カバー材８は、隙間５のうち外装材３の屋外側面よりも奥まった位置から立ち上がり部２の上端部における屋外側面にかけて設けられた水切部９を有するので、この水切部９によって、外装材３の屋外側面を伝って下方に落ちる水を屋外床に向かって落とすことができる。
そして、防水カバー材８は、立ち上がり部２の上端面に設けられているとともに水切部９が取り付けられた取付下地部１０を有しており、防水シート７は、防水カバー材８における取付下地部１０によって立ち上がり部２の上端面に押さえ付けられているので、この取付下地部１０によって、防水シート７が剥がれやすくなることを防ぎつつ、水切部９の取付状態を安定的なものにすることができる。
【００５４】
また、防水シート７が、屋外床から連続する床側防水シート６の上端部に上から重ね合わせられるようにして貼り付けられているので、防水シート７の下縁部からの水の浸入と、床側防水シート６の上縁部からの水の浸入を防ぐことができ、結果的に、立ち上がり部２と外装材３との間の防水性を確保することができる。
【００５５】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
【００５６】
〔変形例１〕
上述の実施形態では、外装材３が、立ち上がり部２に対して建物内部側にセットバックした状態となっている。
これに対して、本変形例における外装材３は、図３に示すように、上述の実施形態における外装材３よりも屋外側に位置した状態となっている。このような場合には、外装材３と共に、防水カバー材８における水切部９と取付下地部１０も屋外側に寄せて配置されることとなる。
これに伴って、水切部９における下垂部９ｃと立ち上がり部との間には、比較的大きな隙間１５が形成されるため、この隙間１５には、止水材１５ａが設けられて水の浸入を防ぐことができる。
さらに、取付下地部１０は、上述の実施形態と同じ向きで使用すると、上面板材２ｃに載らない状態となってしまう。そのため、押さえ部１０ａが建物内部側を向くようにして取付下地部１０が配置されており、押さえ部１０ａが、防水シート７を介在させた状態で、上面板材２ｃに取り付けられている。これによって、防水カバー材８を確実かつ安定的に設けることができるので、外装材３が屋外側に寄せて配置された場合であっても、立ち上がり部２と外装材３との間の防水性を確保することができる。
【００５７】
〔変形例２〕
上述の実施形態における外壁１では、取付下地部１０の押さえ部１０ａがビス等の固定材によって立ち上がり部２の上面板材２ｃに固定されている。
これに対して、本変形例における外壁１Ａでは、図４，図５に示すように、立ち上がり部２の上端部に、ピース材である断面Ｌ型の上面板材２０が互いに間隔を空けて複数設けられている。当該複数の上面板材２０は、立ち上がり部２を構成する複数の柱状体の上端部ごとに設けられてもよいし、複数の柱状体の上端部間に架け渡されて設けられてもよい。
上面板材２０は、図５に示すように、水平部位の屋内側端部から鉛直方向に立ち上がる支持板部２１を備えて断面Ｌ型に形成されている。そして、複数の上面板材２０における各水平部位の上面に、複数の取付下地部１０Ａが溶接されている。
また、複数の取付下地部１０Ａ間及び複数の上面板材２０間には隙間５Ａが形成されており、当該隙間５Ａは、立ち上がり部２と外装材３との間の隙間５と連続する状態となっている。
さらに、上面板材２０における支持板部２１の上端面は、支持材４の下面に接しており、支持材４を介して外装材３を支持している。また、この支持板部２１を備えた断面Ｌ型の上面板材２０の幅寸法は、取付下地部１０Ａの幅寸法と比較して略等しいか、若しくは幅狭に設定されている。
なお、本変形例においても、水切部９は隙間５に沿って長尺に形成されており、水切部９と複数の取付下地部１０Ａとで防水カバー材８を構成している。
また、本変形例における上面板材２０はピース材として複数用いるものとしたが、水平部位が立ち上がり部２の幅方向に沿って長尺に形成され、このような水平部位の屋外側端部に、複数の支持板部２１が櫛歯状に間隔を空けて設けられることによって構成されていてもよい。
【００５８】
複数の取付下地部１０Ａは上面板材２ｃの上面に溶接されているため、当該取付下地部１０Ａの押さえ部１０ａによって防水シートを上面板材２ｃに押さえ付けることができない。そのため、本変形例においては、複数の取付下地部１０Ａ間の隙間５Ａを通るようにして防水シート７Ａが複数設けられている。
より詳細に説明すると、防水シート７Ａは、図４，図５に示すように、その下端部が床側防水シート６の上端部に上から重ね合わせられるようにして貼り付けられ、上端部は、鉛直板部４ａの屋内側面に貼り付けられている。
【００５９】
また、防水シート７Ａは、隙間５Ａ分の幅寸法に設定されている。そのため、複数の防水シート７Ａにおける隣り合う側縁部の屋内側面間には補助防水シート７Ｂが設けられている。また、補助防水シート７Ｂは、立ち上がり部２の上端部における屋内側面から支持材４の鉛直板部４ａにおける屋内側面にかけて設けられている。
このように複数の防水シート７Ａにおける隣り合う側縁部の屋内側面間に補助防水シート７Ｂが設けられることによって、隣り合う防水シート７Ａ，７Ａ同士の間隙を埋めることができる。そのため、補助防水シート７Ｂは、複数の防水シート７Ａにおける隣り合う側縁部の屋内側面に対して密着し、水密性を確保している。
また、補助防水シート７Ｂは、上述のように立ち上がり部２の上端部における屋内側面から支持材４の鉛直板部４ａにおける屋内側面にかけて設けられているため、補助防水シート７Ｂに密着する防水シート７Ａは、補助防水シート７Ｂの位置に対応して設けられている。換言すれば、防水シート７Ａは、補助防水シート７Ｂの位置を想定して設けられており、補助防水シート７Ｂは、このような防水シート７Ａに沿って設けられている。
さらに、補助防水シート７Ｂは、部分的に、上面板材２０の屋外側面にも貼り付けられているものとする。
なお、本実施形態における防水シート７Ａ及び補助防水シート７Ｂとしては粘着力のあるブチル耐水シートが採用されている。
【００６０】
以上のような構成の外壁１Ａを施工する場合は、まず、立ち上がり部２の施工と、外装材３の施工が行われる。複数の取付下地部１０Ａは、立ち上がり部２における上面板材２ｃの上面に溶接されているため、この時点で、これら複数の取付下地部１０Ａも施工された状態となっている。
また、補助防水シート７Ｂは、その下端部を立ち上がり部２の上端部における屋内側面に貼り付けて垂らし、立ち上がり部２に対して予め取り付けた状態にしておく。
【００６１】
立ち上がり部２の施工と、外装材３の施工が行われた後は、複数の防水シート７Ａを、複数の取付下地部１０Ａ間の隙間５Ａを通るようにして設ける。
続いて、垂らした状態としておいた補助防水シート７Ｂの上端部を支持材４の鉛直板部４ａにおける屋内側面に貼り付ける。そして、複数の防水シート７Ａにおける隣り合う側縁部の屋内側面に対して密着させる。
【００６２】
その後、防水カバー材８を、隙間５に対して、当該隙間５を埋めるようにして、かつ防水シート７Ａを遮蔽するようにして設ける。より詳細には、複数の取付下地部１０Ａに対して水切部９を固定して、水切部９の上端部９ｄと外装材３の下端面との間にシーリング材９ｅを充填する。
以上のような施工方法で外壁１Ａを構築することができる。
このような外壁１Ａの施工方法によれば、隙間５，５Ａの防水処理を、立ち上がり部２の施工と、外装材３の施工が終わった後に行うようにすれば、防水処理に係る施工性を向上させることができる。
また、複数の取付下地部１０Ａを上面板材２ｃの上面に予め溶接しておくことで、施工性の向上を図ることができる。さらに、補助防水シート７Ｂを、立ち上がり部２の上端部における屋内側面に貼り付けて垂らし、立ち上がり部２に対して予め取り付けた状態にしておくことで、より一層、施工性を向上させることができる。
【符号の説明】
【００６３】
１  外壁
２  立ち上がり部
３  外装材
３ｃ  係合部
４  支持材
４ａ  鉛直板部
４ｂ  支持板部
５  隙間
６  床側防水シート
７  防水シート
８  防水カバー材
９  水切部
１０  取付下地部
【図１】
2018090995.tif 000003
【図２】
2018090995.tif 000004
【図３】
2018090995.tif 000005
【図４】
2018090995.tif 000006
【図５】
2018090995.tif 000007